(57)【要約】【課題】複数の映像表示のレイアウトを変更する際に、急激な輝度変動を抑制しつつも、想定外の画像表示を防止すること。【解決手段】画像表示装置であって、第１入力判定手段と第２入力判定手段は、第１の映像と第２の映像の種類を示す第１の映像識別子と第２の映像識別子を制御手段に通知し、制御手段は、操作手段からの指示により画像配置調整手段を操作する際に、前記第１の映像識別子と前記第２の映像識別子に基づいて、第１及び第２の映像調整手段において切替前表示調整を実施し、前記切替前表示調整が行われたのちに前記画像配置調整手段を用いて表示画像の配置を調整し、その後、第１及び第２の映像調整手段において切替後表示調整を実施することを特徴とする。【選択図】  図１
2020030262.tif 000002
【特許請求の範囲】
【請求項１】
第１の映像を受け付ける第１入力判定手段と、
第２の映像を受け付ける第２入力判定手段と、
前記第１の映像に表示調整を施した第１の調整画像を出力する第１表示調整手段と、
前記第２の映像に表示調整を施した第２の調整画像を出力する第２表示調整手段と、
前記第１の調整画像と前記第２の調整画像を配置した表示画像を出力する画像配置調整手段と、
前記表示画像を出力する表示手段と、
制御手段と、
操作入力手段を有する画像表示装置であって、
前記第１入力判定手段と前記第２入力判定手段は、前記第１の映像と前記第２の映像の種類を示す第１の映像識別子と第２の映像識別子を前記制御手段に通知し、
前記制御手段は、前記操作手段からの指示により前記画像配置調整手段を操作する際に、前記第１の映像識別子と前記第２の映像識別子に基づいて、前記第１表示調整手段と前記第２表示調整手段で行う切替前表示調整を実施し、前記切替前表示調整が行われたのちに前記画像配置調整手段を用いて前記表示画像の配置を調整し、その後、前記第１表示調整手段と前記第２表示調整手段で行う切替後表示調整を実施することを特徴とする画像表示装置。
【請求項２】
前記第１映像識別子または前記第２映像識別子のうち、いずれか一方がＨＤＲ表示に対応していて、他方がＳＤＲ表示に対応している場合、前記切替前調整においては、前記ＨＤＲ表示に対応している側の映像を、前記第１または第２の表示調整手段でＳＤＲ相当の表示に調整し、前記切替後調整においては、前記ＳＤＲ相当の表示に調整した映像を、前記第１または第２の表示調整手段で元のＨＤＲ表示に戻すことを特徴とする請求項１に記載の画像表示装置。
【請求項３】
前記画像表示装置は、更に前記第１入力判定部および前記第２入力判定部は、それぞれ入力された映像の特徴量を取得する機能を有し、前記第１の映像識別子および前記第２の映像識別子が、いずれもＨＤＲ表示に対応している場合、前記映像１の特徴量と前記映像２の特徴量に応じて前記切替前調整と前記切替後調整を実施することを特徴とする請求項１に記載の画像表示装置。
【請求項４】
前記映像１の特徴量と前記映像２の特徴量は、平均輝度レベルを示し、前記切替前調整においては、前記第１の映像と前記第２の映像の平均輝度レベルの差が所定値以下となるように前記第１および第２の表示調整手段で表示の調整を行い、前記切替後調整においては、前記第１の映像と前記第２の映像の平均輝度を、前記切替前調整の前の状態に戻すことを特徴とする請求項３に記載の画像表示装置。
【請求項５】
前記映像１の特徴量と前記映像２の特徴量は、ピーク輝度レベルを示し、前記切替前調整においては、前記第１の映像と前記第２の映像のピーク輝度レベルの差が所定値以下となるように前記第１および第２の表示調整手段で表示の調整を行い、前記切替後調整においては、前記第１の映像と前記第２の映像のピーク輝度レベルを、前記切替前調整の前の状態に戻すことを特徴とする請求項３に記載の画像表示装置。
【発明の詳細な説明】
【技術分野】
【０００１】
本発明は、画像表示装置に関し、特に表示レイアウトを変更する際の制御方法に関する。
【背景技術】
【０００２】
画像表示装置では、外部からの映像入力（画像入力）に用いる入力端子が、複数種類あることが一般的である。例えば入力端子の種類として、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ＳＤＩ（Ｓｅｒｉａｌ  Ｄｉｇｉｔａｌ  Ｉｎｔｅｒｆａｃｅ）、ＤＰ（ＤｉｓｐｌａｙＰｏｒｔ）などが挙げられる。
【０００３】
表示する映像の種類として、従来からある標準的な輝度レンジで表示を行うＳＤＲ（Ｓｔａｎｄａｒｄ  Ｄｙｎａｍｉｃ  Ｒａｎｇｅ）映像の他に、より幅広い輝度レンジを表現できる映像が登場している。このような、幅広い輝度レンジに対応した映像は、ＨＤＲ（Ｈｉｇｈ  Ｄｙｎａｍｉｃ  Ｒａｎｇｅ）映像と呼ばれる。
【０００４】
ＳＤＲ映像では、通常１００ｎｉｔ程度までの輝度情報が映像データに記録されていた。しかしＨＤＲに対応した映像では、４００〜１０，０００ｎｉｔといった、より高い輝度情報までも記録されており、これに応じて画面の表示輝度を上げることで、よりダイナミックレンジの広い画像表示が行える。
【０００５】
ここで、４００ｎｉｔよりも低い輝度でＳＤＲ映像を表示することをＳＤＲ表示と表わし、４００ｎｉｔ以上の輝度でＨＤＲ映像を表示することをＨＤＲ表示と表わす。たとえば液晶ディスプレイの場合、ＨＤＲ映像を表示するときは、従来よりもバックライトを高輝度点灯することで、高輝度なＨＤＲ表示を行うことができる。また投射型の表示装置（プロジェクター）では、光源の発光強度を上げるほか、投射面積を縮小して投射面（スクリーン）における照度を上げることで、高輝度なＨＤＲ表示を行うことができる。
【０００６】
現在では、画像表示装置に入力される映像の種類が、従来の輝度情報にとどまるＳＤＲ映像と、より高輝度の情報をもっているＨＤＲ映像が混在している状況にある。画像の表示方法としては、１つの入力端子から入力された画像を全画面に表示するほかに、２つの入力端子から入力された画像を並列表示するＰｂｙＰ（Ｐｉｃｔｕｒｅ  ｂｙ  Ｐｉｃｔｕｒｅ）がある。また、１つの入力端子から入力された画像を全画面に表示しつつ、その画像の中に他の入力端子から入力された画像を重ねて表示するＰｉｎＰ（Ｐｉｃｔｕｒｅ  Ｉｎ  Ｐｉｃｔｕｒｅ）という表示方法もある。このように、複数の入力端子から入力された画像をレイアウトして、１つの画面内に収めて表示することがある。そして、例えばユーザーの指示に基づいて、表示中の画像レイアウトを変更することがある。
【０００７】
前述のように、現在ではＳＤＲ映像とＨＤＲ映像が混在している状態にある。このため、１つの画面内にＳＤＲ映像とＨＤＲ映像が同時にレイアウトされることが考えられる。そして、ユーザーの指示に基づきレイアウト変更を行う際に、ＳＤＲ表示をしている領域と、高輝度なＨＤＲ表示をしている領域を入れ替えることが考えられる。
【０００８】
図６は、ＳＤＲ映像と、高輝度点灯しているＨＤＲ映像とを、ＰｉｎＰで表示しているときに、レイアウト変更を行う例である。レイアウト変更時に画面の大部分で急激な輝度変動が発生してしまうことが考えられる。
【０００９】
図７は、ＳＤＲ映像と、高輝度点灯しているＨＤＲ映像とを、ＰｂｙＰで表示しているときに、レイアウト変更を行う例である。レイアウト変更時に表示領域の明暗が急に反転するという急激な輝度変動が発生してしまうことが考えられる。このような急激な輝度変動が発生すると、視聴者が「チラつき」を覚え、視聴の妨害となりうる。
【００１０】
図８は、ＳＤＲ映像と、高輝度点灯しているＨＤＲ映像とを、ＰｂｙＰで表示しているときに、レイアウト変更時の急激な輝度変動を抑制するべく、両映像の表示輝度を平均化して調整した例である。ＳＤＲ映像とＨＤＲ映像の表示輝度を平均化するとＳＤＲ映像側の輝度が大きく上がることがある。ここでＳＤＲ映像は、そもそも高輝度点灯されることを前提としていない映像信号であるため、不自然に黒が浮いた表示となってしまう事や、想定外のアーティファクト（映像ノイズ）が視認されるようになってしまう事が考えられる。
【００１１】
図９は、ＳＤＲ映像とＨＤＲ映像の、撮影時のカメラγ、表示時のモニタγ、トータルの特性を示す図である。カメラγは、撮影時の被写体輝度を映像コードに変換する際の特性を示すカーブである。モニタγは、映像コードを表示装置の出力に変換する際に使用するカーブである。モニタγによりカメラγのカーブを打ち消すことで、撮影時の被写体輝度に対して表示装置の出力をリニアに得られる。
【００１２】
しかし、ＳＤＲ映像は想定されている輝度１００ｎｉｔ以内に収まるように映像をコード化しているため、高輝度点灯させようとすると想定外の表示となってしまうことが考えられる。例えばリニアな階調性を維持したまま最大輝度を１００ｎｉｔから１０００ｎｉｔにブーストすると、暗部で不自然な黒浮きが発生し、視認されることを想定していないアーティファクトが目立ちうる。また、リニアな特性を維持せずに、高輝度階調側をブーストする場合は、中間階調付近で階調性の極端な変化が生じてしまう。このため、図８に示したように、想定外の画像表示となってしまうことが考えられる。
【００１３】
複数の画像データを一画面に表示するときに輝度を調整する例として、特許文献１には、ユーザーの指定した表示画像の特徴量に応じて、画像データごとの輝度配分を調整する内容が開示されている。
【先行技術文献】
【特許文献】
【００１４】
【特許文献１】特開２００９−２７６７０２号公報
【発明の概要】
【発明が解決しようとする課題】
【００１５】
しかしながら、特許文献１に開示された従来技術では、ＳＤＲ映像とＨＤＲ映像を同時に表示することは考慮されていない。また、レイアウト変更時の急激な輝度変化を抑制する処理を自動化することはできない。
【００１６】
そこで、本発明の目的は、複数の映像表示のレイアウトを変更する際に、急激な輝度変動を抑制することにある。また、別の目的は、想定外の画像表示を防止することができる画像表示装置を提供することにある。
【課題を解決するための手段】
【００１７】
上記の目的を達成するために、本発明に係る画像表示装置は、
第１の映像を受け付ける第１入力判定手段と、
第２の映像を受け付ける第２入力判定手段と、
前記第１の映像に表示調整を施した第１の調整画像を出力する第１表示調整手段と、
前記第２の映像に表示調整を施した第２の調整画像を出力する第２表示調整手段と、
前記第１の調整画像と前記第２の調整画像を配置した表示画像を出力する画像配置調整手段と、
前記表示画像を出力する表示手段と、
制御手段と、
操作入力手段を有する画像表示装置であって、
前記第１入力判定手段と前記第２入力判定手段は、前記第１の映像と前記第２の映像の種類を示す第１の映像識別子と第２の映像識別子を前記制御手段に通知し、前記制御手段は、前記操作手段からの指示により前記画像配置調整手段を操作する際に、前記第１の映像識別子と前記第２の映像識別子に基づいて、前記第１表示調整手段と前記第２表示調整手段で行う切替前表示調整を実施し、前記切替前表示調整が行われたのちに前記画像配置調整手段を用いて前記表示画像の配置を調整し、その後、前記第１表示調整手段と前記第２表示調整手段で行う切替後表示調整を実施することを特徴とする。
【発明の効果】
【００１８】
本発明に係る画像表示装置によれば、複数の映像表示のレイアウトを変更する際に、急激な輝度変動を抑制することができる。
【図面の簡単な説明】
【００１９】
【図１】画像表示装置１００の構成を示すブロック図
【図２】本件を適用した表示切替時の表示例（ＰｉｎＰ）
【図３】本件を適用した表示切替時の表示例（ＰｂｙＰ）
【図４】本件を適用した表示切替時の表示例
【図５】表示切替の処理を示すフローチャート
【図６】従来の表示切替時の課題を説明する図（ＰｉｎＰ）
【図７】従来の表示切替時の課題を説明する図（ＰｂｙＰ）
【図８】従来の表示切替時の課題を説明する図（輝度平均化）
【図９】映像フォーマットの特徴を説明する図
【発明を実施するための形態】
【００２０】
以下に、本発明の好ましい実施の形態を、添付の図面に基づいて詳細に説明する。図１は、本発明の実施形態にかかわる画像表示装置の構成を示すブロック図である。
【実施例１】
【００２１】
図１から図５を参照して、本発明の第１の実施例による画像表示装置について説明する。実施例１では、映像の表示レイアウトを変更する際に、急激な輝度変動を抑制する内容を説明する。なお、特に注釈がない場合、ＨＤＲ映像（ＨＤＲ画像）とはＨＤＲ表示可能な映像（画像）を意味し、これをＳＤＲにマッピングして表示することもできる。また、ＳＤＲ映像（画像）とは、ＳＤＲで表示されることを想定した映像（画像）を意味する。ブロック図、説明図、フローチャートを用いて本実施例の詳細を説明した後に、得られる効果を説明する。
【００２２】
図１は、本件にかかる画像表示装置１００の構成図である。第１入力判定部１０１は、外部からの映像入力を受け付けて、その映像のフォーマットを判定する。たとえば、入力された映像がＨＤＲ表示に対応したフォーマットである場合は、その旨を判定して後述する制御部１０８に通知する。また、入力された映像がＳＤＲ表示のみに対応している場合は、その旨を判定して制御部１０８に通知する。
【００２３】
映像フォーマットは、入力する映像に付随したフォーマット識別情報を、第１入力判定部１０１が読み取ることで判定可能である。また、入力される映像の画素値から統計的に算出した、映像の平均輝度レベルやピーク輝度レベルといった特徴量に基づいて、映像フォーマットを推定することも可能である。例えば、表示輝度を直接指定する画像形式において、平均輝度レベルが所定値よりも低い暗いシーンであるにも関わらずピーク輝度レベルが極めて高い場合などはＨＤＲ映像と推定することもできる。また、平均輝度レベルとピーク輝度レベルの差が所定値よりも小さい場合は、ＳＤＲ映像であると推定する事もできる。
【００２４】
第１入力判定部１０１は、更に入力映像についてフレーム内の画素値の平均である平均輝度レベルや最大値であるピーク輝度レベルといった特徴量を制御部１０８に通知する。これらの特徴量は、映像に付随するメタデータから読み取っても良いし、映像の画素値から算出しても良い。第２入力判定部１０２は、第１入力判定部１０１と同等な機能を持ったブロックである。
【００２５】
第１表示調整部１０３は、入力される映像（画像）に画像処理を施して、画像表示装置１００よって表示される画像の、輝度などを調整する。例えば、第１表示調整部１０３が画素値に乗算するゲインの値を、後述する制御部１０８によって調整することで、画像の表示輝度を調整することができる。
【００２６】
第２表示調整部１０４は、第１表示調整部１０３と同等な機能を持ったブロックである。
【００２７】
画像配置調整部１０５は、複数の画像入力を受け付けて、これらをレイアウトして出力する。この例では、画像配置調整部１０５には、第１表示調整部１０３を通った映像１と、第２表示調整部１０４を通った映像２が入力されている。画像配置調整部１０５は、これらの映像１と映像２を、ＰｉｎＰ（Ｐｉｃｔｕｒｅ  Ｉｎ  Ｐｉｃｔｕｒｅ）やＰｂｙＰ（Ｐｉｃｔｕｒｅ  ｂｙ  Ｐｉｃｔｕｒｅ）などのレイアウトに配置して出力する。
【００２８】
表示部１０６は、画像配置調整部１０５がレイアウトした画像出力を用いて、画像表示を行う。なお、画像表示装置１００がプロジェクターなどの投射装置の場合では、図１における表示部１０６はＬＣＯＳ（Ｌｉｑｕｉｄ  Ｃｒｙｓｔａｌ  Ｏｎ  Ｓｉｌｉｃｏｎ）などの表示パネルのことである。プロジェクターなどの投射装置では、画像が実際に表示されるのは投射スクリーン上である。
【００２９】
操作入力部１０７は、ユーザーの操作入力を受け付けて、制御部１０８に通知する。操作入力によって制御部１０８は、画像表示装置１００に表示する映像を、ＰｉｎＰまたはＰｂｙＰにレイアウトしたり、表示位置を入れ替えたりすることが可能である。
【００３０】
制御部１０８は、画像表示装置１００の全般的な処理を担う。例えば、制御部１０８は、第１入力判定部１０１、第２入力判定部１０２からの通知に基づき、どの映像入力がどの表示フォーマットに対応しているかを把握する。また制御部１０８は、操作入力部１０７からの操作入力を受け付けて、画像表示装置１００が表示する映像のレイアウトを、画像配置調整部１０５を介して変更可能である。また制御部１０８は、第１表示調整部１０３、第２表示調整部１０４を介して、画像表示装置１００が表示する画像の輝度などを調整する。
【００３１】
なお、画像表示装置１００がＬＣＤ（Ｌｉｑｕｉｄ  Ｃｒｙｓｔａｌ  Ｄｉｓｐｌａｙ）である場合、図１に記載の構成要素以外に、バックライトが存在する。また、画像表示装置１００がプロジェクターである場合は、ランプまたはレーザーによる光源が存在する。しかし本件は、ＯＬＥＤ（Ｏｒｇａｎｉｃ  Ｌｉｇｈｔ−Ｅｍｉｔｔｉｎｇ  Ｄｉｏｄｅ）などの、パネルが自発光する表示装置においても適用できるため、図１では省略した。
【００３２】
画像表示装置１００がＬＣＤやプロジェクターである場合は、制御部１０８は、表示する画像の輝度などを調整するために、バックライトや光源を制御してもよい。
【００３３】
図２は、第１入力判定部１０１へ入力されたＨＤＲ映像と、第２入力判定部１０２へ入力されたＳＤＲ映像とをＰｉｎＰで表示しているときに、本件を適用した表示切り替え処理を行う様子を説明する図である。
【００３４】
＜図２：状態１＞
ＨＤＲ画像が全面表示されており、ＳＤＲ画像が小さく重ねて表示されている。この表示を、状態４のように、ＳＤＲ画像を全面表示させて、ＨＤＲ画像を小さく重ねて表示するように切り替えていく。例えば、状態１の表示が、急に状態４のように変化すると、画面表示に急激な輝度変化が発生してしまう。
【００３５】
そこで、画像表示装置１００は、急激な輝度変化を緩和するべく、次のように処理を進める。
【００３６】
第１入力判定部１０１と第２入力判定部１０２は、入力されている映像１と映像２の映像の種類を判定し、それぞれの映像識別子を制御部１０８へと通知する。ここでは、映像１はＨＤＲ映像、映像２はＳＤＲ映像であるとして説明を続ける。操作入力部１０７によってユーザーは、ＰｉｎＰの表示位置を入れ替えるよう制御部１０８へと操作入力を行う。
【００３７】
制御部１０８は、映像１と映像２の映像識別子に基づき、第１表示制御部１０３を操作して、映像１のＨＤＲ映像を、ＳＤＲ相当な表示に変化させる。ここで、輝度変化を行う画像処理に時間フィルタという手法を適用して、輝度を徐々に変化させていく。ここでいう、ＳＤＲ相当の表示としては、いくつかの方法がある。例えば、ＨＤＲ映像のピーク輝度がＳＤＲ映像のピーク輝度になるように全体の輝度を一定の割合で低下させる。或いはＨＤＲ映像のうちＳＤＲ映像の輝度レンジを超える部分をＳＤＲの最大輝度レベルに制限する。その他、映像の輝度レンジがＳＤＲ映像の輝度レンジに収まるように輝度調整されれば、どのように調整されても良い。
【００３８】
＜図２：状態２＞
そして画面表示は、映像１のＨＤＲ映像をＳＤＲ相当の輝度レンジで全面表示した中に、映像２のＳＤＲ映像が表示されている状態になる。
【００３９】
＜図２：状態３＞
続いて、制御部１０８は画像配置調整部１０５を操作して、映像１と映像２の表示位置を入れ替える、レイアウト変更を行う。これにより画面表示は、映像２のＳＤＲ映像が全面表示された中に、映像１のＨＤＲ映像をＳＤＲ相当の輝度レンジで全面表示した状態になる。続いて、制御部１０８は、第１表示調整部１０３を操作して、映像１のＨＤＲ映像を、ＳＤＲ相当な表示から、元のＨＤＲ表示に変化させる。ここでも同様に、この変化に時間フィルタを適用することで、輝度を徐々に変化させることが可能となる。
【００４０】
＜図２：状態４＞
以上の一連の処理により、画面表示は、映像２のＳＤＲ映像が全面表示した中に、映像１のＨＤＲ映像が表示されている状態になる。
【００４１】
以上説明したように、状態１の画面表示から、状態２、状態３をへて状態４の画面表示に変化させることで、急激な輝度変化を抑制することが可能である。なお、状態４の画像表示から状態１の画像表示へと変化させる場合も、同等な処理で行うことができる。
【００４２】
図３は、第１入力判定部１０１へ入力されたＨＤＲ映像と、第２入力判定部１０２へ入力されたＳＤＲ映像とをＰｂｙＰで表示しているときに、本件を適用した表示切り替え処理を行う様子を説明する図である。
【００４３】
＜図３：状態１＞
ＨＤＲ画像が左側に表示されており、ＳＤＲ画像が右側に表示されている。この表示を、状態４のように、ＳＤＲ画像を左側に表示させて、ＨＤＲ画像を右側に表示するように切り替えていく。例えば、状態１の表示が、急に状態４のように変化すると、画面表示に急激な輝度変化が発生してしまう。
【００４４】
そこで、画像表示装置１００は、急激な輝度変化を緩和するべく、次のように処理を進める。
【００４５】
第１入力判定部１０１と第２入力判定部１０２は、入力されている映像１と映像２の映像の種類を判定し、それぞれの映像識別子を制御部１０８へと通知する。ここでは、映像１はＨＤＲ映像、映像２はＳＤＲ映像であるとして説明を続ける。操作入力部１０７によってユーザーは、ＰｉｎＰの表示位置を入れ替えるよう制御部１０８へと操作入力を行う。
【００４６】
制御部１０８は、映像１と映像２の映像識別子に基づき、第１表示制御部１０３を操作して、映像１のＨＤＲ映像を、ＳＤＲ相当な表示に変化させる。ここで、輝度変化を行う画像処理に時間フィルタという手法を適用して、輝度を徐々に変化させていく。
【００４７】
＜図３：状態２＞
そして画面表示は、映像１のＨＤＲ映像をＳＤＲ相当の輝度レンジで画面左側に表示させて、映像２のＳＤＲ画像を画面右側に表示させた状態になる。
【００４８】
＜図３：状態３＞
続いて、制御部１０８は画像配置調整部１０５を操作して、映像１と映像２の表示位置を入れ替える、レイアウト変更を行う。これにより画面表示は、映像２のＳＤＲ映像が画面左側に表示されて、映像１のＨＤＲ映像をＳＤＲ相当の輝度レンジで画面右側に表示させた状態になる。
【００４９】
続いて、制御部１０８は、第１表示調整部１０３を操作して、映像１のＨＤＲ映像を、ＳＤＲ相当な表示から、元のＨＤＲ表示に変化させる。ここでも同様に、この変化に時間フィルタを適用することで、輝度を徐々に変化させることが可能となる。
【００５０】
＜図３：状態４＞
以上の一連の処理により、画面表示は、映像２のＳＤＲ映像が画面左側に表示されて、映像１のＨＤＲ映像が画面右側に表示された状態になる。
【００５１】
以上説明したように、状態１の画面表示から、状態２、状態３をへて状態４の画面表示に変化させることで、急激な輝度変化を抑制することが可能である。なお、状態４の画像表示から状態１の画像表示へと変化させる場合も、同等な処理で行うことができる。
【００５２】
図４は、第１入力判定部１０１へ入力されたＨＤＲ映像と、第２入力判定部１０２へ入力されたＨＤＲ映像とをＰｉｎＰで表示しているときに、本件を適用した表示切り替え処理を行う様子を説明する図である。
【００５３】
ＨＤＲ映像は、高輝度から低輝度まで幅広いダイナミックレンジを有する。このため、ＳＤＲ映像とＨＤＲ映像とを表示切り替えする場合よりも、大きな輝度変化が生じることが考えられる。なお、ＨＤＲ映像のピーク輝度レベルは、映像毎に設定されることがある。
【００５４】
＜図４：状態１＞
平均輝度レベルの高いＨＤＲ画像が全面表示されており、平均輝度レベルの低いＨＤＲ画像が小さく重ねて表示されている。この表示を、状態４のように、平均輝度レベルの低いＨＤＲ画像を全面表示させて、平均輝度レベルの高いＨＤＲ画像を小さく重ねて表示するように切り替えていく。例えば、状態１の表示が、急に状態４のように変化すると、画面表示に急激な輝度変化が発生してしまう。
【００５５】
そこで、画像表示装置１００は、急激な輝度変化を緩和するべく、次のように処理を進める。第１入力判定部１０１と第２入力判定部１０２は、入力されている映像１と映像２の映像の種類を判定し、それぞれの映像識別子を制御部１０８へと通知する。ここでは、映像１はＨＤＲ映像、映像２もＨＤＲ映像であるとして説明を続ける。なお、映像識別子に合わせてそれぞれの映像の平均輝度レベル、最大輝度レベルを制御部１０８へと通知してもよい。なお、ＰｉｎＰで隠れている領域が高輝度点灯／低輝度点灯する場合が考えられるため、各領域の輝度レベルは、画像を合成される前の状態で取得しておくことができる。
【００５６】
操作入力部１０７によってユーザーは、ＰｉｎＰ表示を入れ替えるように制御部１０８へと操作入力を行う。
【００５７】
制御部１０８は、映像１と映像２の映像識別子に基づいて、どちらもＨＤＲ映像である際の表示調整処理を行う。例えば２つの映像の平均輝度レベルに差があれば、制御部１０８は第１表示調整部１０３或いは第２表示調整部１０４を調整して、差を低減する。この時、どのように差を低減するかはそれぞれの映像の特徴量および表示モードによる。例えば、それぞれの映像に対して輝度を忠実に表示しているモードである場合、輝度レベルが高くなるように調整してしまうとＳＤＲ映像をＨＤＲ映像の輝度レベルで表示してしまうのと同様の妨害が発生する恐れがある。このような場合は、平均輝度の高い方の画像の輝度レベルを低くするような調整を行うことにより差を低減する。
【００５８】
ディスプレイの表示性能の制限等によって、ＨＤＲ映像を信号で指定されている輝度よりも低い輝度で表示するモードもあり得る。このモードの場合は輝度レベルを上げるような調整を行っても、本来の輝度を上回ってしまうことが無ければ妨害は発生しない。このような場合には、輝度レベルの高い方の映像の輝度レベルを低く調整し、輝度レベルの低い方の映像の輝度レベルを本来の輝度レベルを超えない範囲で高く調整することにより双方の映像の平均輝度レベルの差を低減する。
【００５９】
また、輝度変化を行う画像処理に時間フィルタという手法を適用して、輝度を徐々に変化させていく。この例の場合は、輝度を忠実に表示しているモードであって、平均輝度レベルの高い方の映像の輝度レベルを低下させて差を低減する。
【００６０】
＜図４：状態２＞
そして画面表示は、映像１と映像２の平均輝度レベルの差を低減してＨＤＲ表示されている状態になる。ここで画面表示は、映像１の平均輝度レベルを低減して全画面表示した中に、映像２は変化させずに表示している状態になる。
【００６１】
＜図４：状態３＞
続いて、制御部１０８は画像配置調整部１０５を操作して、映像１と映像２の表示位置を入れ替える、レイアウト変更を行う。これにより画面表示は、映像２は輝度レベルを変化させずに全画面表示した中に、映像１の平均輝度レベルを低減して表示している状態になる。
【００６２】
続いて、制御部１０８は、第１表示調整部１０３を操作し、映像１の平均輝度レベルを増加させて元に戻す。ここでも同様に、この変化に時間フィルタを適用することで、輝度を徐々に変化させることが可能となる。
【００６３】
＜図４：状態４＞
以上の一連の処理により、画面表示は、平均輝度レベルの低いＨＤＲ画像を全面表示した中に、平均輝度レベルの高いＨＤＲ画像が表示されている状態になる。なお、状態４の画像表示から状態１の画像表示へと変化させる場合も、同等な処理で行うことができる。
【００６４】
上記図４の説明では、第１表示調整部１０３および第２表示調整部１０４は、平均輝度レベルの差を減らすように画像切り替え時に表示調整を行う例を述べた。しかし、平均輝度レベルの差の他に、画像のピーク輝度レベルの差が切り替え時に目立つ場合は、これを低減するように表示調整してもよい。
【００６５】
図５は、本件の表示切替の処理を示すフローチャートである。各ステップには、Ｓから始まる番号が振られている。
【００６６】
Ｓ１０１で、第１入力判定部１０１および第２入力判定部１０２は、それぞれに入力されている映像の種別を示す映像識別子を、制御部１０８へと通知する。
【００６７】
Ｓ１０２で、制御部１０８は、第１入力判定部１０１および第２入力判定部１０２からレイアウトを調整する各領域の平均輝度レベルやピーク輝度レベルといった表示状態を取得する。
【００６８】
Ｓ１０３で、制御部１０８は、第１入力判定部１０１および第２入力判定部１０２から取得した映像識別子に基づいて、表示切替する映像がＳＤＲとＨＤＲの組み合わせであるかを判定する。Ｓ１０３が真のときは、ＨＤＲ映像とＳＤＲ映像の表示切り替えである。このときはＳ１０４に進み、制御部１０８は、第１表示調整部１０３または第２表示調整部１０４を用いて、ＨＤＲ表示領域をＳＤＲ相当の表示に調整する。調整後、Ｓ１０５に進み、制御部１０８は、画像配置調整部１０５を操作して、表示画像のレイアウトを変更する。
【００６９】
Ｓ１０６で、制御部１０８は第１表示調整部１０３または第２表示調整部１０４を用いて、Ｓ１０４においてＳＤＲ相当の表示に調整した領域を、元のＨＤＲ表示に戻す。Ｓ１０３が偽のとき、Ｓ１０７に進む。ここで制御部１０８は、第１入力判定部１０１および第２入力判定部１０２から取得した映像識別子に基づいて、表示切替する映像がＨＤＲとＨＤＲの組み合わせであるかを判定する。
【００７０】
Ｓ１０７が真の時はＨＤＲ映像とＨＤＲ映像の表示切り替えである。このときはＳ１０８に進み、制御部１０８は、第１表示調整部１０３および第２表示調整部１０４を用いて、二領域の輝度差を低減する調整をする。一例として２つのＨＤＲ映像の平均輝度レベルを近づけるように調整する。調整後、Ｓ１０９に進み、制御部１０８は、画像配置調整部１０５を操作して、表示画像のレイアウトを変更する。
【００７１】
Ｓ１１０で、制御部１０８は、第１表示調整部１０３および第２表示調整部１０４を用いて、Ｓ１０４において調整した表示輝度レベルを、元の表示輝度レベルに戻す。Ｓ１０７が偽の場合は、ＳＤＲとＳＤＲの表示切替である。この場合は、Ｓ１１１へ進み、従来からある表示切替を行う。
【００７２】
以上述べたように、本実施形態によれば、複数の映像表示のレイアウトを変更する際に、急激な輝度変動を抑制することができる。更に、ＳＤＲ画像とＨＤＲ画像の輝度を平均化した輝度レベルでの表示を行うようなことが無いため、ＳＤＲ画像に対して想定外の画像表示を防止することができる。
【００７３】
以上、本発明の好ましい実施形態について説明したが、本発明はこれらの実施形態に限定されず、その要旨の範囲内で種々の変形及び変更が可能である。
【符号の説明】
【００７４】
１００  画像表示装置、１０１  第１入力判定部、１０２  第２入力判定部、
１０３  第１表示調整部、１０４  第２表示調整部、１０５  画像配置調整部、
１０６  表示部、１０７  操作入力部、１０８  制御部
【図１】
2020030262.tif 000003
【図２】
2020030262.tif 000004
【図３】
2020030262.tif 000005
【図４】
2020030262.tif 000006
【図５】
2020030262.tif 000007
【図６】
2020030262.tif 000008
【図７】
2020030262.tif 000009
【図８】
2020030262.tif 000010
【図９】
2020030262.tif 000011